(57)【要約】【課題】管理者が設定変更できる項目を設定しやすく、かつ、ユーザが変更不可能な項目が存在することをすぐに気付けるような専用モードを有したリモコン装置を提供すること。【解決手段】液晶パネルと操作ボタンを配置した操作パネルとを有し、少なくとも１台以上の室内機を制御するための空気調和機のリモコン装置において、空調設定項目のみを表示してその中から設定変更可能な項目を選択するための表示選択画面と、表示選択画面で選択した項目のみを表示する簡易表示画面とで構成された表示モードを専用簡易モードとして、通常の一般表示モードとは別に設けてなり、専用簡易モード設定中は、操作パネルに対して操作がされていない状態において液晶パネルに表示する表示画面は簡易表示画面とし、簡易表示画面を表示中は、設定変更可能な項目に関する操作ボタンの操作のみを有効とし、それ以外の操作ボタンの操作を無効とした。【選択図】図１
2014190566.tif 000002
【特許請求の範囲】
【請求項１】
液晶パネルと操作ボタンを配置した操作パネルとを有し、少なくとも１台以上の室内機を制御するための空気調和機のリモコン装置において、
空調設定項目のみを表示してその中から設定変更可能な項目を選択するための表示選択画面と、前記表示選択画面で選択した項目のみを表示する簡易表示画面とで構成された表示モードを専用簡易モードとして、通常の一般表示モードとは別に設けてなり、
前記専用簡易モード設定中は、前記操作パネルに対して操作がされていない状態において前記液晶パネルに表示する表示画面は簡易表示画面とし、
前記簡易表示画面を表示中は、前記設定変更可能な項目に関する操作ボタンの操作のみを有効とし、それ以外の操作ボタンの操作を無効としたことを特徴とする空気調和機のリモコン装置。
【請求項２】
前記簡易表示画面を表示中に無効な操作ボタンの操作が行われたときには、当該操作ボタンに対する操作が無効であることをユーザに通知する注意喚起画面を表示するようにしたことを特徴とする請求項１記載の空気調和機のリモコン装置。
【請求項３】
前記簡易表示画面を表示中に、予め定められた特殊操作入力がなされた場合にのみ、設定変更可能な項目を空調設定項目の中から選択可能な表示選択画面を表示するようにしたことを特徴とする請求項１又は２記載の空気調和機のリモコン装置。
【発明の詳細な説明】
【技術分野】
【０００１】
本発明は、少なくとも一台以上の室内機を制御するための空気調和機のリモコン装置における液晶等の表示画面の画面表示に関するものである。
【背景技術】
【０００２】
空気調和機には、室内機の操作や設定の制御を行うリモコン装置が使用されるが、例えば２台〜１０台程度までの室内機を有する中規模の空調システムの場合、室内機個別のワイヤレスリモコンの他に、複数の室内機の状態を制御可能な壁面取付型のリモコン装置（集中コントローラ）が使用されることが多い。
【０００３】
このようなリモコン装置としては、液晶パネルとマイクロスイッチやシートスイッチによって操作用のボタンを配置した操作パネルとを組み合わせたものが挙げられる。リモコン装置は、室内機の状態を液晶パネルに表示しながら、操作パネルによって室内機のオン・オフ、冷房・暖房等の運転（モード）切替え、温度の設定、その他の操作を行う。
【０００４】
また、１台の室内機の状態を表示しながら操作を行うシングル表示と、複数台の室内機の状態を表示するマルチ表示を切替可能に構成されている。例えば、図４に示すように、複数台の室内機に対応したオン・オフを示すＬＥＤ５５とオン・オフボタン５６をマトリックス状に並べてオン・オフのみを行えるマルチ表示などが挙げられる。
【０００５】
このようなマルチ表示とシングル表示を切替可能なものとしては、例えば、特許文献１記載のものが存在する。この特許文献１に記載の集中コントローラは、セグメント表示液晶だと１つの集中コントローラで管理できる室内機の数に制限があったという課題を解決するために、フルドット液晶パネルと操作用のボタンを配置した操作パネルとで集中コントローラを構成して、各室内機個別の運転状態を表示するモニターモードと、特定の室内機に関してシングル表示で室内機の設定の変更を行うオペレーションモードとを有し、前記オペレーションモードにおいて、操作可能な項目のみをフルドット液晶パネルに表示して操作パネルで設定の変更を行う空調機の集中コントローラが開示されている。
【特許文献１】特開２０１１−２１４７７５号公報
【発明の開示】
【発明が解決しようとする課題】
【０００６】
ところで、壁面取付型のリモコン装置は、商業施設などの不特定多数の人が操作可能な環境下に設置されることがある。そのような環境下では設定変更されたくない機能についても操作されてしまうおそれがあるため操作に制限をかけることが考えられる。前記特許文献１記載の集中コントローラでは、一般オペレーションモードにおいて操作可能な項目を制限する旨が記載されているが、この特許文献１では、マルチ表示が標準の画面であるため、特定の室内機に関する一般オペレーションモードに移行して現在変更可能な項目が何なのかユーザが気付くまでに時間が掛かるという問題がある。また、ユーザが変更不可能な項目について操作を行っても変化が生じないため、ユーザが設定変更できるのを認識しづらいという問題がある。
【０００７】
また、壁面取付型のリモコン装置は、通常、前記特許文献１のように、マルチ表示モードやシングル表示モードなどの複数の表示モードを有してる。このような複数の表示モードが存在する中で各種設定を行うことは管理者にとっても複雑な作業であり、ユーザに対して設定変更を許可する項目を設定する際にも複雑な手順を経なければならず、管理者にとっても作業が煩雑であるという問題があった。
【０００８】
本発明は、上記問題点に鑑みなされたものであり、管理者が設定変更できる項目を設定しやすく、かつ、ユーザが変更不可能な項目が存在することをすぐに気付けるような専用モードを有したリモコン装置を提供することを目的とするものである。
【課題を解決するための手段】
【０００９】
本発明の請求項１は、液晶パネルと操作ボタンを配置した操作パネルとを有し、少なくとも１台以上の室内機を制御するための空気調和機のリモコン装置において、空調設定項目のみを表示してその中から設定変更可能な項目を選択するための表示選択画面と、前記表示選択画面で選択した項目のみを表示する簡易表示画面とで構成された表示モードを専用簡易モードとして、通常の一般表示モードとは別に設けてなり、前記専用簡易モード設定中は、前記操作パネルに対して操作がされていない状態において前記液晶パネルに表示する表示画面は簡易表示画面とし、前記簡易表示画面を表示中は、前記設定変更可能な項目に関する操作ボタンの操作のみを有効とし、それ以外の操作ボタンの操作を無効としたことを特徴とする空気調和機のリモコン装置である。
【００１０】
本発明の請求項２は、請求項１に加えて、前記簡易表示画面を表示中に無効な操作ボタンの操作が行われたときには、当該操作ボタンに対する操作が無効であることをユーザに通知する注意喚起画面を表示するようにしたことを特徴とする空気調和機のリモコン装置である。
【００１１】
本発明の請求項３は、請求項１又は２に加えて、前記簡易表示画面を表示中に、予め定められた特殊操作入力がなされた場合にのみ、設定変更可能な項目を空調設定項目の中から選択可能な表示選択画面を表示するようにしたことを特徴とする空気調和機のリモコン装置である。
【発明の効果】
【００１２】
請求項１記載の発明によれば、空調設定項目のみを表示してその中から設定変更可能な項目を選択するための表示選択画面と、前記表示選択画面で選択した項目のみを表示する簡易表示画面とで構成された表示モードを専用簡易モードとして、通常の一般表示モードとは別に設けてなり、前記専用簡易モード設定中は、前記操作パネルに対して操作がされていない状態において前記液晶パネルに表示する表示画面は簡易表示画面とし、前記簡易表示画面を表示中は、前記設定変更可能な項目に関する操作ボタンの操作のみを有効とし、それ以外の操作ボタンの操作を無効としたので、ユーザに対して表示する項目を設定変更可能なものとすることで、表示が分かりやすくなり、また、設定変更されたくない項目については操作を無効とすることができるため、複雑な管理設定をしなくても管理が行えるようになる。また、専用簡易モードを設けることで、管理者においても設定変更可能な項目を選択することが容易に行えるようになる。
【００１３】
請求項２記載の発明によれば、前記簡易表示画面を表示中に無効な操作ボタンの操作が行われたときには、当該操作ボタンに対する操作が無効であることをユーザに通知する注意喚起画面を表示するようにしたので、ユーザが設定変更可能な項目のみが表示されていて他の項目は変更不可であることを即座に通知することができ、ユーザが変更不可能な項目について操作を繰り返してしまうということがなくなる。
【００１４】
請求項３記載の発明によれば、前記簡易表示画面を表示中に、予め定められた特殊操作入力がなされた場合にのみ、設定変更可能な項目を空調設定項目の中から選択可能な表示選択画面を表示するようにしたので、ユーザによる誤操作で偶然に表示選択画面へ移行してしまうということがなくなり、管理が容易になる。
【図面の簡単な説明】
【００１５】
【図１】本発明による空気調和機のリモコン装置１０の正面図である。
【図２】簡易表示画面が表示されている状態において何らかのキー入力がされた場合の処理の流れを表したフローチャートである。
【図３】液晶パネルに表示される各種画面を表したもので、（ａ）は表示選択画面、（ｂ）は簡易表示画面、（ｃ）は注意喚起画面、（ｄ）は表示モード選択画面である。
【図４】従来のマルチ表示画面の一例を表した画像図である。
【発明を実施するための形態】
【００１６】
本発明による空気調和機のリモコン装置は、液晶パネルと操作ボタンを配置した操作パネルとを有し、少なくとも１台以上の室内機を制御するための空気調和機のリモコン装置において、空調設定項目のみを表示してその中から設定変更可能な項目を選択するための表示選択画面と、前記表示選択画面で選択した項目のみを表示する簡易表示画面とで構成された表示モードを専用簡易モードとして、通常の一般表示モードとは別に設けてなり、前記専用簡易モード設定中は、前記操作パネルに対して操作がされていない状態において前記液晶パネルに表示する表示画面は簡易表示画面とし、前記簡易表示画面を表示中は、前記設定変更可能な項目に関する操作ボタンの操作のみを有効とし、それ以外の操作ボタンの操作を無効としたことを特徴とする。以下、詳細に説明を行う。
【実施例１】
【００１７】
本発明の実施例１の空気調和機のリモコン装置について図面に基づいて説明を行う。図１に示すのは、本発明による空気調和機のリモコン装置１０の正面図である。このリモコン装置１０は、筐体１１の上部側にフルドット表示の液晶パネル１２が配置され、下部側に操作用のボタンを並べた操作パネル１３が配置されている。操作パネル１３は、例えば、中央のＳＥＬＥＣＴ（決定）ボタン１４、ＳＥＬＥＣＴボタン１４の上下に配置された上下ボタン１５、１６、左右に配置された左右ボタン１７、１８、左上段の運転モード選択ボタン１９、左中段の風向調整ボタン２０、左下段の風量調整ボタン２１、右上段のタイマー設定ボタン２２、右下段の電源ボタン２３等で構成されている。
【００１８】
また、リモコン装置１０は、室外機及び室内機と有線若しくは無線によって接続されており、室外機及び室内機に対する信号を制御するマイコンと、タイマー設定の情報や設定温度の情報等を記憶するためのメモリとを内部に具備している。このリモコン装置１０は、複数台の室内機の運転をコントロールするためのリモコン装置としても使用されるものであり、複数の室内機の状態を同時表示するマルチ表示と、一台の室内機の状態を表示するシングル表示とが行えるものも含むが、本発明は、このシングル表示とマルチ表示とを切替えて表示する一般表示モードの他に、管理者による設定及びユーザへの表示をより簡素化した特殊な専用簡易モードを別途設けた点が特徴である。
【００１９】
前記専用簡易モードは、前記一般表示モードから抜けた特殊なモードであり、特定の一台の室内機の状況のうち設定変更可能な項目のみを表示する簡易表示画面をデフォルトの画面表示とし、かつ、簡易表示画面に表示する項目を選択する管理者に対して表示する操作画面も簡素化して分かり易くしたものである。一般表示モードから専用簡易モードへの移行は、例えば、特殊入力操作によるものとし、以下の説明においては、特殊な専用簡易モードに移行した後の動作について説明を行う。
【００２０】
リモコン装置１０は、通常の一般表示モードにおいては、様々な表示画面を切り替えて操作を行うようになっているが、本発明の専用簡易モードにおいては、特定の一台の室内機の状況のうち設定変更可能な項目のみを表示する簡易表示画面をデフォルトの画面表示とし、この簡易表示画面において特殊入力操作を行った場合に、管理者が簡単に簡易表示画面に表示する項目を選択可能な専用簡易モードにおける表示選択画面へ移行できるようにし、それ以外の操作が行われた場合には、操作入力を受け付けずに注意喚起画面を表示するようにしたことを特徴とする。
【００２１】
前記簡易表示画面は、図１に示すように、例えば、設定変更可能な運転モードと設定温度のみを表示する。この簡易表示画面が表示されている状態において、何らかのキー入力がされた場合の処理の流れを図２のフローチャートに基づいて説明する。この図２において、簡易表示画面が表示されている状態（Ｓ２０１）において、キー入力（Ｓ２０２）がされると、そのキー入力が「特殊キー入力」か否かの判定がなされる（Ｓ２０３）。ここで、特殊キー入力とは、通常のキー入力とは異なる特殊入力操作のことで、例えば、運転モード選択ボタン１９と風向調整ボタン２０を同時に長押しした場合を特殊キー入力と認識するように設定しておき、特殊キー入力がなされた場合にのみ表示選択画面へ移行する（Ｓ２０４）。
【００２２】
表示選択画面は、例えば、図３（ａ）に示すような画面であり、簡易表示画面において表示する項目、かつ、設定変更可能な項目を、空調設定項目の中から選択する画面である。この表示選択画面は、管理者が容易に設定可能なように空調設定項目のみを抽出した専用簡易モード特有の画面である。この表示選択画面における選択項目としては、例えば、運転モード設定２４、温度設定２５、風量設定２６、風向設定２７等の空調設定項目が挙げられる。図１に示す正面図においては、運転モード設定２４、温度設定２５が表示されている。ここで、図３（ａ）に示すように、運転モード設定２４のチェックを外して、温度設定２５のみにチェックが入っている状態に項目選択を変更すると（Ｓ２０５）、図３（ｂ）に示すように、温度設定２５のみが表示される簡易表示画面に変わる。
【００２３】
簡易表示画面が表示されている状態において、特殊キー入力以外のキー入力がなされた場合、そのキー入力が表示項目に関するキー入力か否かを判定する（Ｓ２０６）。図３（ｂ）のように、表示項目が温度設定２５のみの場合、温度設定に関するキー入力である上下ボタン１５、１６のみを有効なキー入力として認識し（Ｓ２０７）、その場合にはキー入力に従って設定温度を変更する（Ｓ２０８）。しかし、キー入力が温度設定に関する上下ボタン１５、１６以外のキー入力であった場合、そのキー入力は無効となる（Ｓ２０９）。そして、操作を行っているユーザに対して当該キー入力が無効であることを通知するために、図３（ｃ）に示すように、注意喚起２８を表示した注意喚起画面に切り替える（Ｓ２１０）。そして、一定時間、注意喚起２８を表示した後は、簡易表示画面に戻る（Ｓ２０１）。
【００２４】
以上のように、本実施例のリモコン装置によれば、新たに専用簡易モードを設けて、空調設定項目のみを抽出した表示選択画面を採用したので、簡易表示画面において表示する項目、かつ、設定変更可能な項目を管理者が容易に設定することが可能となる。また、専用簡易モードにおける表示画面を、空調設定項目のうち設定変更可能な項目のみで構成された簡易表示画面とし、設定変更可能な項目に関するキー入力のみを有効とし、他のキー入力は無効とすることで、ユーザに設定変更可能な項目のみが表示されていて他の項目は変更不可であることを即座に通知することができる。これにより、ユーザが変更不可能な項目について操作を繰り返してしまうということがなくなる。
【００２５】
前記実施例においては、専用簡易モードにおいて、簡易表示画面を表示した状態から表示選択画面へ移行する条件を特殊キー入力（長押し）として説明しているが、これに限定されるものではない。例えば、正しい暗証番号の入力によって表示選択画面へ移行するというようにしてもよい。すなわち、ユーザによる誤操作で偶然に表示選択画面へ移行してしまうということがないような特殊入力操作であればどのような操作であってもよい。
【００２６】
前記実施例においては、最初から専用簡易モードに設定されているものとして説明を行ったが、当然ながら一般表示モードへの移行も可能である。例えば、簡易表示画面が表示されているときに、特殊入力操作（表示選択画面への移行とは異なる操作）を行うことで、図３（ｄ）に示すような表示モード選択画面へ移行するようにする。この表示モード選択画面では、一般表示モード２９と専用簡易モード３０のうち何れか一方のみを選択可能なチェックボックスで構成して、何れか一方の表示モードを選択することで表示モードを変更することができる。このような構成とすることで、管理者はより詳細な設定を行うために一般表示モード２９に切替えて各種設定を行い、設定を行った後は容易に設定変更されないように専用簡易モード３０に切替えるという運用が可能になる。
なお、本発明における「一般表示モード」とは、専用簡易モード以外の表示モード全てを表したものであり、シングル表示やマルチ表示を行えるもののみならず、様々な表示モードが想定されることはいうまでもない。
【符号の説明】
【００２７】
１０…リモコン装置、１１…筐体、１２…液晶パネル、１３…操作ボタン、１４…ＳＥＬＥＣＴボタン、１５…上ボタン、１６…下ボタン、１７…左ボタン、１８…右ボタン、１９…運転モード選択ボタン、２０…風量調整ボタン、２１…風向調整ボタン、２２…タイマー設定ボタン、２３…電源ボタン、２４…運転モード設定、２５…温度設定、２６…風量設定、２７…風向設定、２８…注意喚起、２９…一般表示モード、３０…専用簡易モード。
【図１】
2014190566.tif 000003
【図２】
2014190566.tif 000004
【図３】
2014190566.tif 000005
【図４】
2014190566.tif 000006